(57)【要約】 【課題】  画像処理装置において簡単な操作によって種々の設定値の変更を可能とする。【解決手段】  操作パネル部（入力部）９は装置の変更設定値又はこれを特定する識別ＩＤを外部から受付ける。ＩＤ管理部７は変更設定値が設定されたときその識別ＩＤを割り振る。記憶部５は操作パネル部（入力部）９で入力された変更設定値を識別ＩＤに関連付けて記憶する。主制御部１は識別ＩＤが受付けられたときその識別ＩＤに対応する変更設定値をその記憶部５から読出して装置内の設定値として変更制御する。【選択図】  図１
2008283428.tif 000002
【特許請求の範囲】
【請求項１】
装置の変更設定値又はこれを特定する識別ＩＤを外部から受付ける入力部と、
前記変更設定値が設定されたとき前記識別ＩＤを割り振るＩＤ管理部と、
前記入力部で入力された前記変更設定値を前記識別ＩＤに関連付けて記憶する記憶部と、
前記識別ＩＤが受付けられたとき前記識別ＩＤに対応する前記変更設定値を前記記憶部から読出して装置内の設定値として変更制御する主制御部と、
を具備することを特徴とする画像処理装置。
【請求項２】
ネットワークに接続された通信部を有し、前記主制御部は前記識別ＩＤが割り振られたとき前記通信部を介して所定のアドレスに当該識別ＩＤを通知する機能を有する請求項１記載の画像処理装置。
【請求項３】
前記通信部を介して前記識別ＩＤが受信されたとき、前記主制御部は、当該識別ＩＤに対応する前記変更設定値を前記記憶部から読出して前記装置内の設定値として変更制御する請求項１又は２記載の画像処理装置。
【請求項４】
前記ＩＤ管理部は、既設定された同一内容の変更設定値が設定されたとき同一の前記識別ＩＤを割り振る請求項１〜３いずれか１記載の画像処理装置。
【請求項５】
装置の変更設定値又はこれを特定する識別ＩＤを外部から受付ける入力部と、
前記変更設定値が設定されたとき前記識別ＩＤを割り振るＩＤ管理部と、
ネットワークに接続された通信部と、
この通信部から前記ネットワークを介して接続された記憶部であって前記変更設定値を前記識別ＩＤに関連付けて記憶する記憶部と、
前記識別ＩＤが受付けられたとき前記通信部を介して前記識別ＩＤに対応する前記変更設定値を前記記憶部から読出し、取込まれた前記変更設定値で装置内の設定値を変更制御する主制御部と、
を具備することを特徴とする画像処理システム。
【請求項６】
所定のアドレスを有し前記ネットワークに接続された電子装置とを有し、前記主制御部は前記電子装置に対して前記識別ＩＤを前記通信部を介して通知する機能を有する請求項５記載の画像処理システム。
【請求項７】
前記通信部を介して前記電子装置から前記識別ＩＤが受信されたとき、前記主制御部は、当該識別ＩＤに対応する前記変更設定値を前記記憶部から取込んで装置内の設定値として変更制御する請求項６記載の画像処理システム。
【請求項８】
前記ＩＤ管理部は、既設定された同一内容の変更設定値が設定されたとき同一の前記識別ＩＤを割り振る請求項５〜７いずれか１記載の画像処理システム。
【発明の詳細な説明】
【技術分野】
【０００１】
本発明は画像処理装置および画像処理システムに係り、例えば複写機や複合機（ＭＦＰ：Multi Function Peripheral）等に利用して好適な画像処理装置および画像処理システムの改良に関する。
【背景技術】
【０００２】
近年、例えば複合機等では、印刷濃度、１頁当たりに集約する原稿頁数（集約機能）、原稿の縦横の向き、印刷名称その他の設定値が予めデフォルト値として設定されており、ユーザが設定変更する場合、操作設定画面に表示されたデフォルト値を目的に応じてユーザが設定変更している。
【０００３】
ところが、複合機等におけるユーザによる設定値の変更は、操作設定画面においてデフォルト値を表示させてから変更する必要があったり、管理者に変更を依頼するといった手間が必要で、変更作業が繁雑である。
【０００４】
そこで、例えば特開平４−２９９６５８号公報（特許文献１）等の技術が提案されている。
【０００５】
この特許文献１は、画像の送信時に送信モードを選択する選択部と、この選択部による選択が一定期間行われない場合に、その送信モードをデフォルト状態に保持するデフォルト復帰部と、その送信モードの使用頻度を判定し頻度の高い送信モードにその復帰部によるデフォルト状態を変更するデフォルト変更部とを有するファクシミリ装置であり、使用頻度の多い送信モードを有効なデフォルト状態に設定可能にして、操作性を向上させたものである。
【特許文献１】特開平４−２９９６５８号公報
【発明の開示】
【発明が解決しようとする課題】
【０００６】
しかしながら、上述した特許文献１では、送信モードの使用頻度によってデフォルト値を変更するから、使用頻度が少ない設定値では変更困難であり、任意の設定値を簡単に設定可能で操作性を向上させるには改善の余地がある。
【０００７】
本発明はそのような課題を解決するためになされたもので、簡単な操作によって設定値の変更が可能で、操作性を向上させた画像処理装置および画像処理システムの提供を目的とする。
【課題を解決するための手段】
【０００８】
そのような課題を解決するために本発明に係る画像処理装置は、装置の変更設定値又はこれを特定する識別ＩＤを外部から受付ける入力部と、その変更設定値が設定されたときその識別ＩＤを割り振るＩＤ管理部と、その入力部で入力された変更設定値をその識別ＩＤに関連付けて記憶する記憶部と、その識別ＩＤが受付けられたとき識別ＩＤに対応する変更設定値をその記憶部から読出して装置内の設定値として変更制御する主制御部とを具備している。
【０００９】
本発明の画像処理装置では、ネットワークに接続された通信部を有し、その識別ＩＤが割り振られたとき上記主制御部がその通信部を介して当該識別ＩＤを所定のアドレスに通知する構成も可能である。
【００１０】
本発明の画像処理装置では、上記通信部を介してその識別ＩＤが受信されたとき、上記主制御部が当該識別ＩＤに対応する変更設定値をその記憶部から読出して装置内の設定値として変更制御する構成も可能である。
【００１１】
本発明の画像処理装置では、既設定された同一内容の変更設定値が設定されたとき上記ＩＤ管理部が同一の識別ＩＤを割り振る構成も可能である。
【００１２】
本発明に係る画像処理システムでは、装置の変更設定値又はこれを特定する識別ＩＤを外部から受付ける入力部と、その変更設定値が設定されたときその識別ＩＤを割り振るＩＤ管理部と、ネットワークに接続された通信部と、この通信部からそのネットワークを介して接続された記憶部であって変更設定値をその識別ＩＤに関連付けて記憶する記憶部と、その識別ＩＤが受付けられたときその通信部を介して識別ＩＤに対応する変更設定値をその記憶部から読出し、取込まれた変更設定値で装置内の設定値を変更制御する主制御部とを具備する構成を有している。
【００１３】
本発明の画像処理システムでは、所定のアドレスを有し上記ネットワークに接続された電子装置とを有し、上記主制御部がその電子装置に対して識別ＩＤをその通信部を介して通知する構成も可能である。
【００１４】
本発明の画像処理システムでは、上記通信部を介してその電子装置から識別ＩＤが受信されたとき、上記主制御部が当該識別ＩＤに対応する変更設定値をその記憶部から取込んで装置内の設定値として変更制御する構成も可能である。
【００１５】
本発明の画像処理システムでは、既設定された同一内容の変更設定値が設定されたとき上記ＩＤ管理部が同一の前記識別ＩＤを割り振る構成も可能である。
【発明の効果】
【００１６】
このような本発明に係る画像処理装置および画像処理システムでは、装置の変更設定値又はこれを特定する識別ＩＤを外部から入力部で受付け、その変更設定値が設定されたときＩＤ管理部にてその識別ＩＤを割り振り、その変更設定値を識別ＩＤに関連付けて記憶部に記憶し、その識別ＩＤが受付けられたとき、主制御部が識別ＩＤに対応する変更設定値をその記憶部から読出し、取込まれた変更設定値で装置内の設定値を変更制御するから、識別ＩＤの入力操作といった簡単な操作によって設定値の変更が可能で、操作性が向上する。
【００１７】
本発明において、上記識別ＩＤが割り振られたとき上記主制御部がネットワークを介して所定のアドレスにその識別ＩＤを通知する構成では、画像処理装置の外部でその変更設定値に係る識別ＩＤの取得が可能である。
【００１８】
本発明において、外部からその識別ＩＤが受信されたとき、上記主制御部が当該識別ＩＤに対応する変更設定値をその記憶部から読出して装置内の設定値として変更制御する構成では、外部からその識別ＩＤを用いて変更設定値を装置内の設定値として変更可能である。
【００１９】
本発明において、既設定された同一内容の変更設定値が設定されたとき上記ＩＤ管理部が同一の識別ＩＤを割り振る構成では、識別ＩＤの数が不必要に増加せず、管理が複雑化しない。
【発明を実施するための最良の形態】
【００２０】
以下、本発明の実施の形態を図面を参照して説明する。なお、本発明に係る画像処理システムは本発明の画像処理装置を説明する過程で説明する。
【００２１】
図１は本発明に係る画像処理装置の実施の形態を示す概略ブロック図である。
【００２２】
図１において、本発明に係る画像処理装置は、主制御部１を中心にして通信部３、記憶部５、ＩＤ管理部７、操作パネル部９、印刷部１１および画像読取部１３を有して構成され、例えば複合機Ａの一部を構成している。主制御部１は、通信部３、記憶部５、ＩＤ管理部７、操作パネル部９、印刷部１１および画像読取部１３を制御するものであるが、詳細は後述する。
【００２３】
通信部３は、主制御部１の制御の下、例えばインターネットや社内ＬＡＮ等の公知のネットワーク１５を介してサーバ１７に対し、電子メールを送信する機能を有するとともに、外部のコンピュータＢから識別ＩＤを受信して主制御部１に出力する機能を有するインターフェース部である。
【００２４】
記憶部５は、主制御部１の制御の下、画像読取部１３で読み取られた原稿データ、複合機Ａの設定値を後述する識別ＩＤとともに記憶する他、主制御部１の動作プログラムを格納する例えばハードディスク（ＨＤＤ）等である。
【００２５】
ＩＤ管理部７は、主制御部１の制御の下、後述する操作パネル部９からの複合機Ａの設定値、例えば印刷機能における印刷濃度、集約機能、原稿の縦横の向きその他と、これらの値を１セットとした設定値を特定する識別ＩＤを自動的に生成して割り振り、管理データを作成してこれを管理する機能を有している。
【００２６】
管理データは、例えば図２に示すように、例えば印刷濃度（濃度レベル値）、集約機能（１頁当たりの集約頁数）、原稿の縦横の向き等を１セットとした設定値に対し、順次生成した識別ＩＤを対応付けたテーブル状のものであり、例えば記憶部５の一部に記憶される。
【００２７】
操作パネル部９は、図示しない装置本体ケースの上部に配置された例えばタッチスイッチ入力部と液晶タイプの表示部等も兼ねており、デフォルト設定値の表示や複合機Ａの動作状態の表示が可能であるうえ、上述した種々の設定値や識別ＩＤの入力を受付け、ＩＤ管理部７に出力する機能を有している。
【００２８】
すなわち、表示部にデフォルト設定値を表示した状態で、入力部から上述した設定値の変更入力が可能になっており、例えばその変更設定値の確定キーボタンの操作によってＩＤ管理部７に出力されるようになっている。
【００２９】
ＩＤ管理部７は、その変更設定値が既に設定された値と全て一致する変更設定値が入力されたとき、同一の識別ＩＤを割り振るよう形成されている。
【００３０】
画像読取部１３は、主制御部１の制御の下、例えば印刷された複数頁の原稿から画像を光学的に読み込み、フィルタ処理、変倍処理および階調処理等をして電子的原稿データを印刷ジョブとして生成する公知のスキャナ等であり、生成した原稿データが原稿の頁毎に記憶部５に順次記憶されるようになっている。
【００３１】
印刷部１１は、主制御部１の制御の下、上述した設定値その他に基づき、記憶部５に記憶された原稿データその他を印刷用紙に印刷して排紙する白黒又はカラー印刷エンジンであるが、公知のものであるから詳細な説明および図示は省略する。
【００３２】
主制御部１は、ＣＰＵ、このＣＰＵの動作プログラムを格納したメモリ部、入出力インターフェース（いずれも図示せず。）を有し、ファクシミリ送受信部３、記憶部５、ＩＤ管理部７、操作パネル部９、印刷部１１および画像読取部１３を制御し、それらの機能の一部を担う他、以下の機能を有している。
【００３３】
主制御部１は、上述した設定値その他に基づき印刷部１１の印刷制御をするとともに、その設定値が変更されたとき、変更設定値で印刷部１１を印刷制御する印刷制御部として機能を有している。
【００３４】
主制御部１は、上述したように、ＩＤ管理部７で識別ＩＤを割り振ったとき、予め設定された通知元メールアドレスに対し、割り振った識別ＩＤを伝える電子メールを作成し、この電子メールを通信部３からサーバ１７に例えばＳＭＴＰ（simple mail transfer protocol）プロトコルによって送信制御するＳＭＴＰクライアント機能を有している。
【００３５】
主制御部１は、コンピュータＢから通信部３を介して識別ＩＤを受けたとき、ＩＤ管理部７の管理データを参照し、該当する変更設定値を記憶部５から読み出して設定変更する設定変更機能を有している。
【００３６】
ネットワーク１５に接続されたサーバ１７は、複合機Ａからの電子メールを格納保持する一方、例えばコンピュータＢからの電子メール問い合わせに対してコンピュータＢに配信する機能を有しているが、従来公知の構成であるから、詳細な説明は省略する。
【００３７】
ネットワーク１５に接続されたコンピュータＢは、制御部１９に内部バス２１を介して接続された通信部２３、記憶部２５、表示部２７および操作部２９その他、画像処理装置としての構成を有している。
【００３８】
コンピュータＢの通信部２３は、ネットワーク１５を介してサーバ１７にアクセスして電子メールを取り込む一方、複合機Ａに対して上述した識別ＩＤを所定のプロトコルで送信するインターフェースである。
【００３９】
記憶部２５は、制御部１９に制御の下、通信部２３で受信された電子メールその他を記憶する機能を有している。
【００４０】
表示部２７は、制御部１９に制御の下、通信部２３で受信した電子メールその他を表示する機能を有し、電子メールに添付された識別ＩＤを確認可能になっている。
【００４１】
操作部２９は、コンピュータＢを操作する上で一般的な操作入力機能を有する他、電子メールで通知された識別ＩＤを選択して通信部２３から送信指示する機能を有している。
【００４２】
制御部１９は、ＣＰＵ、このＣＰＵの動作プログラムを格納したメモリ部、入出力インターフェース（いずれも図示せず。）を有し、通信部２３、記憶部２５、表示部２７および操作部２９を制御する他、以下の機能を有している。
【００４３】
すなわち、制御部１９は、予め設定されたアドレスのサーバ１７に対して電子メールの問わせを制御し、受信した電子メールを表示部２７に表示制御し、操作部２９から選択された識別ＩＤを通信部２３から複合機Ａに送信制御する等の機能を有している。
【００４４】
次に、このような本発明の画像処理装置の動作を図３および図４のフローチャートを参照して簡単に説明する。なお、図３は変更設定値の記憶処理であり、図４は識別ＩＤに基づく設定値の変更処理である。
【００４５】
まず、図３においてプログラムがスタートし、図示しないステップにて設定値がデフォルトから任意の設定値に変更されると、ステップＳ１にてＩＤ管理部が識別ＩＤを割り振って管理テーブルを作成し、続くステップＳ２にて変更設定値を識別ＩＤに関連付けて記憶部５へ記憶処理し、ステップＳ３でサーバ（ユーザ）１７へ電子メールに添付された識別ＩＤの送信処理がなされて終了する。
【００４６】
その後、図４に示すように、ステップＳ１０で識別ＩＤが操作パネル部９又はコンピュータＢからネットワーク１５、通信部３を介して入力されると、ステップＳ１１でＩＤ管理部７を介し管理テーブルを参照して識別ＩＤの存在の有無が判別される。
【００４７】
該当する識別ＩＤが存在してステップＳ１１がＹＥＳであれば、ステップＳ１２にて記憶部５から対応する変更設定値が主制御部１に読出され、ステップＳ１３にてその変更設定値が表示されるとともに変更設定値に基づいて複合機Ａの設定値が変更されて終了する。
【００４８】
該当する識別ＩＤが存在せずにステップＳ１１がＮＯであれば、ステップＳ１４にて設定値としてデフォルトを選択するか否か判別され、デフォルトが選択されてステップＳ１４がＹＥＳの場合にはステップＳ１５でデフォルト設定値が表示されて終了し、デフォルトが選択されずにステップＳ１５がＮＯの場合にはステップＳ１６でエラー表示処理されて終了する。
【００４９】
このように、本発明に係る画像処理装置は、装置の変更設定値又はこれを特定する識別ＩＤを外部から受付ける操作パネル部（入力部）９と、その変更設定値が設定されたときその識別ＩＤを割り振るＩＤ管理部７と、その操作パネル部（入力部）９で入力された変更設定値を識別ＩＤに関連付けて記憶する記憶部５と、ネットワーク１５に接続された通信部３と、その識別ＩＤが受付けられたときその識別ＩＤに対応する変更設定値をその記憶部５から読出して装置内の設定値として変更制御するとともに、その識別ＩＤが割り振られたとき上記主制御部がその通信部を介して所定のアドレスに通知制御する主制御部とを具備している。
【００５０】
そのため、一度、印刷機能に関する設定値を変更すれば、その後は識別ＩＤを入力するのみで設定値の変更が可能となり、簡単な操作によって印刷機能に関する設定値が変更されて操作性が向上するし、複合機Ａに登録できる変更設定値の数を増加することが可能であるうえ、ユーザが登録した際に発行する識別ＩＤを電子メールにして外部に送信することで、ユーザはその場で識別ＩＤを記録する必要がなく、この観点からも操作性が向上する。
【００５１】
また、その識別ＩＤが通信部３を介して外部から受信されたとき、当該識別ＩＤに対応する変更設定値をその記憶部５から読出して装置内の設定値として変更制御するから、外部のコンピュータＢから識別ＩＤを送信して設定値の変更も可能である。
【００５２】
しかも、既設定された同一内容の変更設定値が設定されたとき上記ＩＤ管理部７が同一の識別ＩＤを割り振るから、識別ＩＤの数が不必要に増加せず、識別ＩＤの管理データやメモリ容量が不必要に増加しないし、管理も複雑化しない。
【００５３】
上述した画像処理装置では、変更設定値を識別ＩＤに関連付けて複合機Ａに内蔵する記憶部５に記憶する構成であったが、本発明ではこれに限定されない。
【００５４】
例えば、図１に示すように、ネットワーク１５に接続されたサーバ１７を記憶部として機能させ、このサーバ１７に対して通信部３を介して変更設定値を識別ＩＤに関連付けて記憶する構成も可能であり、これに合わせて主制御部１、通信部３を形成すればよい。
【００５５】
このサーバ１７を記憶部として用いる構成では、変更設定値をサーバ１７に登録することで複合機Ａ内の記憶部５の容量を削減できる利点がある。
【００５６】
このサーバ１７を用いる構成では、図３のフローチャートでは、ステップＳ３にて記憶部５ではなくサーバ１７に対して変更設定値および識別ＩＤを記憶処理することになるし、図４中のステップＳ１２ではサーバ１７から変更設定値を取得することになる。
【００５７】
なお、本発明の画像処理装置では、印刷機能に関する設定値の変更に限らず、画像処理装置や画像形成装置における種々の設定値に適応可能である。
【００５８】
また、本発明に係る画像処理システムでは、装置の変更設定値又はこれを特定する識別ＩＤを外部から受付ける操作パネル部（入力部）９と、その変更設定値が設定されたときその識別ＩＤを割り振るＩＤ管理部７と、ネットワーク１５に接続された通信部３と、この通信部３からそのネットワーク１５を介して接続されたサーバ（記憶部）３５であって変更設定値をその識別ＩＤに関連付けて記憶するサーバ３５と、その識別ＩＤが受付けられたときその通信部３を介して識別ＩＤに対応する変更設定値をそのサーバ３５から読出し、取込まれた変更設定値で装置内の設定値を変更制御する主制御部１とを具備するから、本発明の画像処理装置と同様な効果を得ることが可能である。
【００５９】
この画像処理システムにおいても、所定のアドレスを有し上記ネットワークに接続された電子装置Ｂとを有し、主制御部１がその電子装置Ｂに対して識別ＩＤをその通信部３を介して通知する構成、その通信部３を介してその電子装置Ｂから識別ＩＤが受信されたとき、主制御部１が当該識別ＩＤに対応する変更設定値を記憶部３５から取込んで装置内の設定値として変更制御する構成、更には、既設定された同一内容の変更設定値が設定されたとき上記ＩＤ管理部が同一の前記識別ＩＤを割り振る構成も可能であり、本発明の画像処理装置と同様な効果が得られる。
【図面の簡単な説明】
【００６０】
【図１】本発明に係る画像処理装置の実施の形態を示す概略ブロック図である。
【図２】本発明の画像処理装置における通知条件を説明する図である。
【図３】本発明の画像処理装置の動作を説明するフローチャートである。
【図４】本発明の画像処理装置の動作を説明するフローチャートである。
【符号の説明】
【００６１】
１  主制御部
３  通信部
５  記憶部
７  ＩＤ管理部
９  操作パネル部
１１  印刷部
１３  画像読取部
１５  ネットワーク
１７  サーバ（メールサーバ、記憶部）
１９  制御部
２１  内部バス
２３  通信部
２５  記憶部
２７  表示部
２９  操作部
Ａ  複合機（画像処理装置、画像形成装置）
Ｂ  コンピュータ（画像処理装置）
【図１】
2008283428.tif 000003
【図２】
2008283428.tif 000004
【図３】
2008283428.tif 000005
【図４】
2008283428.tif 000006